(57)【要約】【課題】  一台の装置で、透過光による検査と反射光による検査ができる光学フィルムの目視検査装置を提供する。【解決手段】  上面を半透明板とし、その上に置かれた被検査光学フィルムの透過検査用光源を内蔵した矩形ボックスに、該ボックスの手前端を軸として前方端が昇降駆動する回転軸及び昇降駆動装置を設け、前記ボックスの前方端が上昇され前方上がりの状態に傾倒されたときに検査する反射検査用光源を前記ボックスの前方上方に設け、前記昇降駆動装置を駆動する上昇操作スイッチ及び下降操作スイッチを設けた光学フィルムの目視検査装置である。【選択図】      図１
2005233892.tif 000002
【特許請求の範囲】
【請求項１】
上面を半透明板とし、その上に置かれた被検査光学フィルムの透過検査用光源を内蔵した矩形ボックスに、該ボックスの手前端を軸として前方端が昇降駆動する回転軸及び昇降駆動装置を設け、前記ボックスの前方上方に反射検査用光源を設け、前記昇降駆動装置を駆動操作する上昇操作スイッチ及び下降操作スイッチを夫々設けたことを特徴とする光学フィルムの目視検査装置。
【請求項２】
前記ボックスの前方端の昇降中の位置を検知する検知手段を設け、該検知手段に連動して前記ボックスが水平位置近傍では透過検査用光源を点灯し且つ反射検査用光源を消灯させ、前記ボックスの前方端が所定位置以上に上昇したときに透過検査用光源を消灯し且つ反射検査用光源を点灯させる光源点消灯手段を設けたことを特徴とする請求項１に記載の光学フィルムの目視検査装置。
【発明の詳細な説明】
【技術分野】
【０００１】
本発明は、光学機能性フィルム等光学フィルムの目視検査装置に関するもので、詳しくは、一台の装置で、透過光による検査と反射光による検査ができる光学フィルムの目視検査装置に関する。
【背景技術】
【０００２】
近年、携帯電話等の電気製品の液晶表示装置に光学機能性フィルムが広く使用されている。これは、液晶の光学的機能を拡張するため、液晶の表面に添着される。例えば、バックライトを有しない反射型の液晶装置では、液晶表面に適宜カラーフイルタを介在させて偏光板が添着されている。また、バックライトを備えた透過型では、液晶とバックライトとの間に裏面側偏光板が介在されると共に、表面側にも偏光板が介在されている。偏光機能を適切化するため、2層又は3層の配光性フィルムを重ねて添着処理されている。その表面には保護フィルムを貼り、その裏面（液晶側）には粘着層を介在させて剥離フィルムを貼付けて光学機能性フィルムを製造し、この光学機能性フィルムを一辺数センチ四方の矩形状に切断してチップフィルムにしている。その後組立て工場で液晶部に添着（接着）処理している。
【０００３】
前記配光性フィルムの製造過程で発生する添加物の凝集物やポリマーのゲル状物は、前記配光性フィルムの製造工程でインライン検査されているが、高速製膜中での検査なので、微小の不良箇所が見落されることがある。また、配光性フィルムを重ねて接着処理中に、疵、ゴミや気泡が入ることがあり、オフラインでの検査員による目視検査が必須となる。
【０００４】
被検査光学フィルムを検査台上に載せて行う目視検査方法として、透過光による検査と反射光による検査の2通りがある。不良箇所が表側か裏側か、また、不良の種類によって透過光による検査が有効な場合と、反射光による検査が有効な場合とがある。特に被処理フィルムが光学機能性フィルムの場合は、透過光による検査と反射光による検査の両方の検査が必須となる。
【０００５】
特開2000-137001号公報には透過光によるフィルム検査装置が、また、特開2001-108630号公報には反射光による光学フィルム検査方法が夫々掲載されている。このように従来は、反射光による光学フィルム検査装置と透過光による光学フィルム検査装置が個別に存在している。
【０００６】
検査の内容を示すと、各検査の途中で点状の不良点を発見し、その上に赤色等のペンでチェック印を付け、これをチップフィルム化した後に、そのチップを不良品として取り除くというものである。ここで、不良点を見逃すと、チップ化して後の発見は、殆ど不可能になるので、点検には細心の注意が必要である。
【０００７】
ここで、従来の光学フィルムの検査では、まず透過検査をし、次いで反射検査をしていた。各検査台は、夫々に所要の照明及び付属設備が付いており、検査員は、１m四方の寸法にも及ぶ光学機能性フィルムを持ち回り、順次台を変えて検査していた。
【０００８】
従って、従来の光学フィルムの検査では、各台への光学機能性フィルムの持ち回りが問題となっていた。即ち、持ち回りの手間が大変で、さらに、持ち回りの途中で、ゴミ等が付着したり、折り曲がり事故を生じ微妙な傷を付けてしまう恐れがあり、これを見逃してしまう恐れがある。
【特許文献１】特開2000-137001号公報
【特許文献２】特開2001-108630号公報
【発明の開示】
【発明が解決しようとする課題】
【０００９】
本発明の課題は、透過光による検査と反射光による検査を、一位置で行うことができ、フィルム持ち回りが不要で検査ミスの生ずる恐れを極力する少なくすることができる光学フィルムの目視検査装置を提供することにある。
【課題を解決するための手段】
【００１０】
上記課題を解決するための本発明は、上面を半透明板とし、その上に置かれた被検査光学フィルムの透過検査用光源を内蔵した矩形ボックスに、該ボックスの手前端を軸として前方端が昇降駆動する回転軸及び昇降駆動装置を設け、前記ボックスの前方上方に反射検査用光源を設け、前記昇降駆動装置を駆動する上昇操作スイッチ及び下降操作スイッチを設けたことを特徴とする光学フィルムの目視検査装置である。
【００１１】
本発明の光学フィルムの目視検査装置は、上面を半透明板とし、その上に置かれた被検査用光学フィルムの透過検査用光源を内蔵した矩形ボックスを設けているので、前記被検査用光学フィルムを、透過光によって検査することができる。この透過検査用光源として、複数本の蛍光灯を前記ボックス内全面に並べておくと、この蛍光灯からの光線は前記矩形ボックス上面の半透明板のほぼ全体をソフトに透過するので、被検査フィルムの全面を隈なく点検することができ、その不良箇所に不良の目印を入れることができる。
【００１２】
前記矩形ボックスの手前端を軸として前方端が昇降駆動する回転軸及び昇降駆動装置を設け、前記ボックスの前方上方に反射検査用光源を設け、前記昇降駆動装置を駆動する上昇操作スイッチ及び下降操作スイッチを設けたので、ボックスを上下させて反射検査用光源を点灯し、前記半透明板の上に置かれた被検査フィルムの不良箇所を、反射光によって検査しその不良箇所に不良の目印を入れることができる。
【００１３】
反射光による検査の場合、光源からの光線入射角と、入射した光が反射して検査員の目に入る反射角が等しい箇所近傍が最も明るくて検査し易いので、反射検査用光源として蛍光灯を水平方向に複数箇所に設けておくのが良い。更に、前記昇降駆動装置を駆動する上昇操作スイッチ及び下降操作スイッチは、前記昇降駆動装置の昇降駆動操作中に任意の位置に途中停止できる操作スイッチにしておくのが良い。このようにしておくことにより、前記ボックスを望みの傾斜に途中停止させて、検査員も上下左右に移動しながら、目の位置を変えて被検査光学フィルムを検査し、次いで前記ボックスの傾斜角度を変えて停止させ前記と同様に被検査光学フィルムを検査し、この操作を繰返すことにより被検査光学フィルムの全面を隈なく点検することができ、その不良箇所に不良の目印を入れることができる。かくして、本発明の光学フィルム目視検査装置一台で、透過光による検査と反射光による検査ができ、被検査光学フィルムの全面を隈なく点検して、不良箇所を見逃すことなく不良の目印を入れることができる。光学フィルムの持ち回りが不要となった。
【００１４】
更に、前記ボックスの前方端の昇降中の位置を検知する検知手段を設け、該検知手段に連動して前記ボックスが水平位置近傍では透過検査用光源を点灯し且つ反射検査用光源を消灯させ、前記ボックスの前方端が所定位置以上に上昇したときに透過検査用光源を消灯し且つ反射検査用光源を点灯させる光源点消灯手段を設けておくと良い。透明光で検査した後反射光で検査したい場合、又はその逆の場合において、その都度光源のスイッチを操作しなくても、前記ボックスの上下移動によって光源が自動的に点消灯して切り換わるので、作業工程が省け検査効率が高くなる。
【発明の効果】
【００１５】
以上のように本発明は特許請求の範囲に記載された通りの光学フィルムの目視検査装置であるので、反射及び透過の夫々の検査を順次行うに際し、光学フィルムの持ち回りが解消され、検査効率が高くなると共に、その間に生ずる不良品発生の恐れを解消できる。
【００１６】
本発明の光学フィルム目視検査装置は、上面を半透明板とし、その上に置かれた被検査光学フィルムの透過用光源を内蔵した矩形ボックスなので、前記半透明板のほぼ全体をソフトに透過し、被検査光学フィルムの全面を隈なく点検することができる。
【００１７】
また、前記矩形ボックスを前方上がりの任意傾斜位置で止めて、前方端上方の光源によって反射光による検査ができるので、被検査光学フィルムの全面を隈なく点検することができる。かくして、本発明の光学フィルム目視検査装置一台で、透過光による検査と反射光による検査ができ、被検査光学フィルムの全面を隈なく点検して、不良箇所を見逃すことなく不良の目印を入れることができる。
【００１８】
矩形ボックスを水平位置で透過光による検査をした後、前方上がりの傾倒位置に移動させて反射光による検査をする際、又は前方上がりの傾倒位置で反射光による検査をした後、水平位置に移動させて透過光による検査をする際、光源が自動的に点消灯して切り換わるようにすれば、光源の切換えスイッチを設けてその都度スイッチ操作する必要がなく便利である。
【発明を実施するための最良の形態】
【００１９】
以下、本発明を実施するための最良の形態について、図面を用いて詳細に説明する。
【００２０】
図1は本発明の光学フィルムの目視検査装置の一実施形態を示す斜視図であり、図2はその側面図である。
【００２１】
本発明の光学フィルムの目視検査装置は、上面を半透明板１とし、その上に置かれた被検査光学フィルム2の透過検査用光源である複数本の蛍光灯3-1〜7を内蔵した矩形ボックス4を設けている。複数本の蛍光灯3-1〜7は矩形ボックス4内全面に等間隔に並べて取付けられており、各蛍光灯3-1〜7からの光線は矩形ボックス4上面の半透明板1のほぼ全体をソフトに透過するので、半透明板1の上に置かれた被検査光学フィルム2の全面を隈なく点検することができ、その不良箇所に不良の目印を入れることができる。
【００２２】
前記矩形ボックス4は架台5上にあって、手前端を軸として前方端を昇降駆動する回転軸6を介して架台5と連結されている。また、矩形ボックス4の前方端の下部には、昇降駆動装置7が設けられている。
【００２３】
昇降駆動装置7は、モータ8と、ウォーム減速歯車9、軸ネジ10、ネジシリンダ11から構成されている。
【００２４】
また、前記矩形ボックス4の手前側右側面には、前記昇降駆動装置7のモータ8を駆動する上昇及び下降作用の操作スイッチ12U、12Dが設けられている。従って、操作スイッチ12U、12Dの操作により、昇降駆動装置7を駆動し、矩形ボックス4の傾斜角度を水平面から前上がりの姿勢に変化させることができる。スイッチ12U、12Dは、操作している間のみ昇降駆動できる型とする。これにより、作業内容に応じ、傾斜角度を適切に調節することができる。上限及び下限位置にはリミットスイッチを設け、昇降駆動の範囲を制限している。
【００２５】
架台5の前方端部にはフレーム13が直立して設けられており、そのフレーム13には反射検査用光源である複数本の蛍光灯14-1〜3が水平方向に取付けられている。反射光による検査の場合、各蛍光灯14-1〜3からの光線が被検査光学フィルム2に当る入射角α1、α2と、入射した光が反射して検査員の目に入る反射角β1、β2がそれぞれ等しい箇所近傍が最も明るくて検査し易いので、複数本の蛍光灯14-1〜3を複数箇所（この例では2箇所）に分けて取付けている。
【００２６】
また、フレーム13の右下には、矩形ボックス4の前方端の昇降中の位置を検知するリミットスイッチLSが取付けられている。このリミットスイッチLSは、矩形ボックス7の手前側面に設けられた光源スイッチ15が設けられている。透過検査用光源である各蛍光灯3-1〜7と、反射検査用光源である各蛍光灯14-1〜3 の電源投入のためのものである。このリミットスイッチLSは軸ネジ１０に関連して設けても良い。
【００２７】
図3は、透過検査用光源である各蛍光灯3-1〜7と反射検査用光源である各蛍光灯14-1〜3を点消灯する光源点消灯手段を示す回路図である。電源スイッチ15がオンの状態で、矩形ボックス4の前方端が上昇し、リミットスイッチLSが作動すると切片16が透過光源点灯用の端子17と接触して透過検査用光源である各蛍光灯3-1〜7を点灯し且つ反射検査用光源である各蛍光灯14-1〜3を消灯させる。また、矩形ボックス4の前方端がリミットスイッチLSから離れると切片16が反射検査用の光源を点灯するための端子18と接触して各蛍光灯3-1〜7を消灯し且つ反射検査用光源である各蛍光灯14-1〜3を点灯させる。
【００２８】
以上のように構成されているので、矩形ボックス4を望みの傾斜に途中停止させ、検査員も上下左右に移動しながらの目の位置を変えて、半透明板1の上に置かれた被検査用光学フィルム2を反射光によって検査し、次いで前記ボックスの傾斜角度を変えて停止させ前記と同様に被検査光学フィルム2を検査し、これを繰返すことにより被検査光学フィルム2の全面を隈なく点検することができ、その不良箇所に不良の目印を入れることができる。かくして、本発明の光学フィルム目視検査装置一台で、透過光による検査と反射光による検査ができ、被検査用光学フィルム2の全面を隈なく点検して、不良箇所を見逃すことなく不良の目印を入れることができる。この間、光学フィルム2の持ち回りをしなくてもよく、この間に不良発生する恐れもない。また、矩形ボックスを水平位置にして透過光による検査をした後、前方上がりの傾倒位置に移動させて反射光による検査をする際、又は前方上がりの傾倒位置で反射光による検査をした後、水平位置に移動させて透過光による検査をする際、透過検査用光源である各蛍光灯3-1〜7と反射検査用光源である各蛍光灯14-1〜3は自動的に点消灯して切り換わるので、蛍光灯の切換えスイッチを設けてその都度スイッチ操作する必要がなくて非常に便利である。
【００２９】
架台4の下部にはキャスター19が設けられているので、本発明の光学フィルムの目視検査装置全体をシステム内容に応じ簡単に移動させることができる。
【００３０】
以上の実施形態の説明において、昇降駆動装置としてネジシリンダ11を用いた例について説明したが、ネジシリンダ11の代りに油圧シリンダーを用いること等もできる。また、矩形ボックス4の前方端の昇降中の位置を検知する検知手段としてリミットスイッチLSを用いた例について説明したが、リミットスイッチLSの代りに光電管を用いること等も当然にできる。
【００３１】
本発明の光学フィルムの目視検査装置は、如何なる光学フィルムでも検査可能であるが、背景技術の欄で説明した光学機能性フィルムを検査する場合、複数枚のフィルムが積層されているうえに微小の不良箇所も取り除かねばならないので、特に効果を発揮する。
【００３２】
本発明は、上記実施形態に限定されず、本発明の要旨を逸脱しない範囲で適宜変形して実施することができ、各種態様で実施できる。
【図面の簡単な説明】
【００３３】
【図１】本発明の光学フィルムの目視検査装置の一実施形態を示す斜視図である。
【図２】図1の右側面図である。
【図３】透過及び反射用の光源を点消灯する光源点消灯手段を示す回路図である。
【符号の説明】
【００３４】
1  半透明板
2   光学フィルム
3-1〜7, 14-1〜3  蛍光灯
4  矩形ボックス
5  架台
6  回転軸
7  昇降駆動装置
8  モータ
9  ウォーム減速歯車
10  軸ネジ
11  ネジシリンダ
12U  上昇操作スイッチ
12D  下降操作スイッチ
13  フレーム
15  光源スイッチ
16  切片
17、18  端子
19   キャスター
LS  リミットスイッチ
【図１】
2005233892.tif 000003
【図２】
2005233892.tif 000004
【図３】
2005233892.tif 000005